(57)【要約】【課題】細孔を潰すことなく炭の粉粒物を製造する方法を提供することを課題とする。【解決手段】炭の粉粒物を製造する方法として、植物の所定構成部分を乾燥させて植物乾燥物を得る植物乾燥工程と、前記植物乾燥工程により得られた前記植物乾燥物を細かく砕いて粉粒物を製造する植物粉粒物製造工程と、前記植物粉粒物製造工程により得られた植物の粉粒物を、密閉状態で加熱することで炭化させることで炭の粉流物を得る炭化工程とから構成する。【選択図】なし【特許請求の範囲】
【請求項１】
植物の所定構成部分を乾燥させて植物乾燥物を得る植物乾燥工程と、
前記植物乾燥工程により得られた前記植物乾燥物を細かく砕いて粉粒物にする植物粉粒物製造工程と、
前記植物粉粒物製造工程により得られた植物の粉粒物を、密閉状態で加熱することで炭化させる炭化工程と
を有する炭の製造方法。
【請求項２】
所定構成部分は、種子の殻である請求項１に記載の炭の製造方法。
【請求項３】
前記植物の所定構成部分は、椰子殻である請求項２に記載の炭の製造方法。
【請求項４】
前記所定構成部分は、木の幹又は枝である請求項１に記載の炭の製造方法。
【請求項５】
前記植物の所定構成部分は、樫の木の幹又は枝である請求項４に記載の炭の製造方法。
【請求項６】
前記植物の所定構成部分は、竹の茎である請求項１に記載の炭の製造方法。
【請求項７】
請求項１から６のいずれかの炭の製造方法により製造される炭。
【請求項８】
請求項７に記載の炭を含有する合成樹脂ペレット。
【請求項９】
請求項７に記載の炭が繊維中に含まれる衣服。
【請求項１０】
請求項７に記載の炭を含有する壁材。
【請求項１１】
請求項７に記載の炭を含有する紙。
【請求項１２】
請求項７に記載の炭を含有する土壌改良剤。
【請求項１３】
請求項７に記載の炭を含有する吸着剤。
【発明の詳細な説明】
【技術分野】
【０００１】
本発明は、炭の粉粒物の製造方法に関する。
【背景技術】
【０００２】
粉炭は吸着剤や土壌改良剤などに広く用いられ、近年は食品に含有するといった利用方法にも使用されている。このような粉炭は、まず、木炭を製造した後に、これを細かく砕くことによって得られる。
【発明の概要】
【発明が解決しようとする課題】
【０００３】
ところで、木炭を砕くと、木炭内部に形成されている細孔の多くがが砕かれる過程で潰れてしまい、木炭の優位な性質である吸着能力が低減してしまうという問題がある。
本発明は、このような問題に鑑みて、細孔を潰すことなく炭の粉粒物を製造する方法を提供することを課題とする。
【課題を解決するための手段】
【０００４】
上記課題を解決するために、本発明は次のような構成を有する。
請求項１に記載の発明は、植物の所定構成部分を乾燥させて植物乾燥物を得る植物乾燥工程と、前記植物乾燥工程により得られた前記植物乾燥物を細かく砕いて粉粒物にする植物粉粒物製造工程と、前記植物粉粒物製造工程により得られた植物の粉粒物を、密閉状態で加熱することで炭化させる炭化工程とを有する炭の製造方法である。
請求項２に記載の発明は、前記炭の製造方法において、所定構成部分を、種子の殻としたものである。
請求項３に記載の発明は、請求項２に記載の炭の製造方法において、前記植物の所定構成部分を、椰子殻としたものである。
請求項４に記載の発明は、請求項１に記載の炭の製造方法において、前記所定構成部分を、木の幹又は枝としたものである。
請求項５に記載の発明は、請求項４に記載の炭の製造方法において、前記植物の所定構成部分を、樫の木の幹又は枝としたものである。
請求項６に記載の発明は、請求項１に記載の炭の製造方法において、前記植物の所定構成部分を、竹の茎としたものである。
請求項７に記載の発明は、前記炭の製造方法により製造される炭である。
請求項８に記載の発明は、請求項７に記載の炭を含有する合成樹脂ペレットである。
請求項９に記載の発明は、請求項７に記載の炭が繊維中に含まれる衣服である。
請求項１０に記載の発明は、請求項７に記載の炭を含有する壁材である。なお、壁材には外壁ボード、内壁ボード、壁紙、タイルなどの乾式工法に使用される壁材及び塗り壁に用いられる漆喰、モルタル等湿式工法に使用される壁材の両方が含まれる。
請求項１１に記載の発明は、請求項７に記載の炭を含有する紙である。
請求項１２に記載の発明は、請求項７に記載の炭を含有する土壌改良剤である。
請求項１３に記載の発明は、請求項７に記載の炭を含有する吸着剤である。
【発明の効果】
【０００５】
以上のような構成により本発明は次のような効果を奏する。
請求項１に記載の発明は、植物を砕いて粉粒物にした後に炭にする結果、炭化により形成される細孔は炭化前には潰れることがないので、細孔がほとんど潰れない状態の粉状の炭を得ることができる。
請求項２に記載の発明は、種子の殻を用いると、あるある程度の堅さがあるので、植物乾燥工程において、ある程度の水分が残っていても、植物粉粒物製造工程において比較的容易に粉粒物にすることができる。
請求項３に記載の発明は、椰子殻は、細孔が多いことが知られており、炭にすることで細孔の密度が高い炭の粉粒物を得ることができる。
請求項４に記載の発明は、木の幹や枝を用いることで、大量に製造でき、薄くスライスすることで比較的容易に乾燥硬化できるので、粉粒物に加工しやすい。
請求項５に記載の発明は、樫は密度が高く堅いので、植物乾燥工程において、ある程度の水分が残っていても、植物粉粒物製造工程において比較的容易に粉粒物にすることができる。
請求項６に記載の発明は、竹を用いることで、やはり、植物乾燥工程において、ある程度の水分が残っていても、植物粉粒物製造工程において比較的容易に粉粒物にすることができる。
請求項７に記載の発明は、炭の粉粒物として、細孔が潰れていないので、細孔の密度が高く吸着能力が高い。
請求項８に記載の発明は、当該合成樹脂ペレットを用いて合成樹脂成形品を作ると、含有する炭による脱臭、吸湿等の効果を得ることができ、また、不要になった場合には細かく砕いて、脱臭剤、吸湿剤として使用することができる。
請求項９に記載の発明は、衣服の繊維に含まれる炭の脱臭、吸湿効果により、体臭や蒸れを低減させることができる。
請求項１０に記載の発明は、壁に含まれる炭の脱臭、吸湿効果により、室内の調湿や臭いの低減などを図ることができる。
請求項１１に記載の発明は、使用後に細かくすることで、室内の脱臭剤として使用することができる。
請求項１２に記載の発明は、含有する炭の細孔により土壌に微生物をより効率的に繁殖させることができる
請求項１３に記載の発明は、表面積が大きく、細孔が潰れていない粉状の炭により効果的に目的物質を吸着することができる。
【発明を実施するための形態】
【０００６】
本実施形態に係る炭の粉粒物の製造方法について、以下に説明する。まず、原料となる植物の特定部位を用意する。ここでは、椰子殻を用いるものとする。具体的には、椰子殻として、椰子の実から外果皮と果実を取り除いた、内果皮、中果皮を利用する。この椰子殻を機械で粉砕した後、乾燥させる。その後、さらに細かく砕いて粉粒物とする。その後、この椰子殻の粉粒物を、炭化炉にて密閉加熱し、炭化させる。
このような工程で製造される炭は、粉粒物になった後で炭化することで、細孔が形成されるので、炭化した後につぶして粉粒物にする場合に比較して、細孔が圧力を受けてつぶれることがないので、細孔の数や密度が高くすることができる。即ち、本実施形態に係る製造方法で製造された炭の粉粒物は、無数の小さな粒から構成されるので表面積の総量が非常に大きく、かつ、表面の細孔も従来のものに比較して多くなるので、極めて大きな吸着力を発揮することができる。
そして、本実施形態に係る製造方法で製造された炭の粉粒物は吸着力、吸湿力等、多孔質に起因する性質に優れるので、衣類や、壁材等の建材などに混ぜることで、防臭効果や調湿効果を発揮できる。また、合成樹脂ペレットに混ぜて合成樹脂成型品を作った、紙に混ぜたりすると、これらを廃棄するまえに、細かくしてネットなどに吊るすと、防臭剤として二次利用することができる。さらに、吸着剤としてフィルターに含有することで気体浄化を図ったり、汚染水などに撒くことで水質の浄化を図ったりすることができる。また、土壌改良剤として土壌に巻くことで、多くの多孔質により微生物を効率的に繁殖させることができる。その他、食品や飼料などに含有してもよい。
なお、上記実施形態においては、植物の所定部分として椰子殻を用いているが、炭化できる植物であれば、任意のものに適用することができ、樫の木の幹、竹の茎、籾殻等適宜採用することができる。また、粉粒物の粒径は、任意に設定でき１０ｍｍ程度の大きなものから数μｍ程度まで、目的に応じて選択することができる。